(57)【特許請求の範囲】
【請求項１】
地盤上に形成されたコンクリートスラブと、該コンクリートスラブ上に形成された透水アスファルト層と、該透水アスファルト層上に形成された密粒アスファルト層とからなる積層構造が設けられていることを特徴とする地下駐車場の床構造。
【請求項２】
請求項１記載の地下駐車場の床構造であって、
前記透水アスファルト層内部には、湧水槽に対して接続された集水パイプが配設されていることを特徴とする地下駐車場の床構造。
【発明の詳細な説明】
【０００１】
【発明の属する技術分野】
本発明は、地下駐車場の床構造に関するものである。
【０００２】
【従来の技術】
一般に、地下駐車場等の地下構造物においては、地下水が躯体内部に不可抗力的に浸透するため、躯体内に流れ込む浸水を湧水槽に誘導し、湧水槽において一時的に貯留するとともに、排出するようにしている。
【０００３】
このような浸水の排水は、躯体内の床スラブ等に水路となるような排水溝を設けておくことにより、この排水溝内をせせらぎとなって流下するのが通常である。
【０００４】
【発明が解決しようとする課題】
しかしながら、上述のように排水溝を利用した場合には、まず、設計段階で、湧水槽にまで確実に浸水が排水されるか否かについての詳細な検討が必要であり、また、実際に施工を行う際においても、排水溝が確実に機能するように、施工管理を十分に行うことが必要であった。さらに、排水溝を形成するためのコストも必要となっていた。
【０００５】
本発明は、このような事情に鑑みて行われたものであり、躯体内部に浸水する地下水の排水を考慮した場合の設計・施工に関する作業を、従来に比較して容易とすることが可能であり、なおかつ、その場合の建設コストをも従来に比較して低減化することが可能であるような地下駐車場の床構造の提供をその課題とする。
【０００６】
【課題を解決するための手段】
上記課題を解決するために本発明においては以下の手段を採用した。
すなわち、請求項１記載の地下駐車場の床構造は、地盤上に形成されたコンクリートスラブと、該コンクリートスラブ上に形成された透水アスファルト層と、該透水アスファルト層上に形成された密粒アスファルト層とからなる積層構造が設けられていることを特徴とする。
【０００７】
上記のような構成とされるために、この地下駐車場の床構造においては、地盤側から浸透する地下水が透水アスファルト層を通って排水されることとなる。
【０００９】
また、上記のような構成とされるため、この地下駐車場の床構造は、一般のコンクリート構造物に対して、透水および密粒アスファルトからなる層を付加しただけのものとして形成することができる。
【００１０】
請求項２記載の地下駐車場の床構造は、請求項１記載の地下駐車場の床構造であって、
前記透水アスファルト層内部には、湧水槽に対して接続された集水パイプが配設されていることを特徴とする。
【００１１】
上記のような構成とされるため、この地下駐車場の床構造においては、浸透した地下水を湧水槽に対して確実に排水することができる。
【００１２】
【発明の実施の形態】
以下、本発明の実施の形態を、図面に基づいて説明する。
図１は、本発明の一実施の形態である地下構造物１の躯体の一部を構成するマットスラブ２を拡大して示した図である。ここに、地下構造物１は、地盤Ｇ中において、地下駐車場として形成されている。
【００１３】
図中に示すように、マットスラブ２は、地盤Ｇ上に形成されたコンクリートスラブ４と、コンクリートスラブ４上に形成された透水アスファルト層５と、透水アスファルト層５上に形成された密粒アスファルト層６とからなる積層構造７を備えた構成とされている。
【００１４】
コンクリートスラブ４および密粒アスファルト層６は、ともに止水性を備えた止水層として形成されており、透水アスファルト層５は、これら止水層間に介装された透水層としての役割を果たす。また、密粒アスファルト層６は、その上面６ａが、駐車場の床として形成されている。
【００１５】
また、図中に示すように、透水アスファルト層５の内部には集水パイプ９が配設されている。集水パイプ９は、有孔管として形成されるとともに、図示しない湧水槽に対して接続されている。
【００１６】
この地下構造物１においては、地盤Ｇ中の地下水が、図中矢印ｋで示すようにコンクリートスラブ４中を浸透した場合に、浸透した地下水が、透水アスファルト層５中を通って集水パイプ９に到達することとなる。集水パイプ９は有孔管により形成されるため、この地下水は、集水パイプ９により集められ、湧水槽に対して排出されることとなる。
【００１７】
このように、地下構造物１においては、マットスラブ２が、コンクリートスラブ４および密粒アスファルト層６からなる一対の止水層と、これら止水層の間に介装された透水アスファルト層５とからなる積層構造７を備えた構成とされているため、地盤Ｇ側から浸透する地下水を透水アスファルト層５を介して湧水槽に排水することが可能である。これにより、従来の地下構造物において設けられていたような排水溝が不要となり、排水溝の形成に係る設計・施工上の作業量を低減化することができる。また、排水溝を形成する必要がないために、マットスラブ２の施工コストを併せて低減化することができる。
【００１８】
また、上述のように積層構造７は、地盤Ｇ側から順にコンクリートスラブ４、透水アスファルト層５、および密粒アスファルト層６を備えた構成とされる。このため、積層構造７を、一般のコンクリート構造物の躯体の内側に、透水および密粒アスファルトからなる層を付加しただけのものとして形成することができ、施工が容易となる。
特に、この地下構造物１を本実施の形態のように地下駐車場に適用する場合には、一般の地下駐車場において床上に打設されるアスファルトを、単に密粒アスファルト６および透水アスファルト５からなる二重構造とするのみで積層構造７を形成することができ、これにより地下構造物１を従来のアスファルト床を施工する際とほぼ同様の手順で施工を行うことが可能である。
【００１９】
さらに、地下構造物１においては、透水アスファルト層５内部に、湧水槽に対して接続された集水パイプ９が配設されているため、躯体内部に浸透した地下水を湧水槽に対して確実に排水することができる。
【００２０】
なお、上記実施の形態において、本発明の主旨を逸脱しない範囲内で、地下構造物１の用途や構造の詳細について、他の構成を採用するようにしても良い。
例えば、地下構造物１の用途は、地下駐車場に限らず他のものであっても構わない。
また、積層構造７が設けられる箇所は、上記実施の形態のようなマットスラブ２に限らず、地下構造物１の躯体において、地盤Ｇと接している部分であれば、いずれの箇所でも構わない。したがって、積層構造７を地下構造物１の壁等に適用するようにしても構わない。
【００２１】
【発明の効果】
以上説明したように、請求項１に係る地下駐車場の床構造は、地盤上に形成されたコンクリートスラブと、該コンクリートスラブ上に形成された透水アスファルト層と、該透水アスファルト層上に形成された密粒アスファルト層とからなる積層構造を備えた構成とされるため、地盤から浸透する地下水を透水アスファルト層を介して湧水槽に排水することが可能である。これにより、従来の地下構造物において設けられていたような排水溝が不要となり、排水溝形成に関する設計・施工上の作業量を低減化することができる。また、排水溝を形成する必要がないために、躯体の施工コストを併せて低減化することができる。
【００２２】
また、請求項１に係る地下駐車場の床構造は、積層構造が、地盤側から順にコンクリート、透水アスファルト、および密粒アスファルトによって形成された層を備えた構成とされているため、積層構造を、一般のコンクリート構造物の躯体の内側に、透水および密粒アスファルトからなる層を付加しただけのものとして形成することができる。これにより、特別な施工上等の配慮が必要とならず、容易に形成可能である。即ち、一般の地下駐車場において床上に打設されるアスファルトを、単に密粒アスファルトおよび透水アスファルトからなる二重構造とするのみでよく、従来とほぼ同様の手順で施工を行うことが可能である。
【００２３】
請求項２に係る地下駐車場の床構造においては、透水アスファルト層内部に、湧水槽に対して接続された集水パイプが配設されているため、躯体内部に浸透した地下水を湧水槽に対して確実に排水することができ、これにより請求項１に係る発明を良好に実現することができる。
【図面の簡単な説明】
【図１】本発明の一実施の形態を模式的に示す地下構造物の一部の拡大立断面図である。
【符号の説明】
１  地下構造物
４  コンクリートスラブ
５  透水アスファルト層
６  密粒アスファルト層
７  積層構造
９  集水パイプ
Ｇ  地盤
【図１】
0003600998.tif 000002